Podtech/llm-jp-corpus-v4-ja_patent huggingface dataset:
【手続補正書】
【提出日】平成19年3月30日(2007.3.30)
【手続補正１】
【補正対象書類名】特許請求の範囲
【補正対象項目名】全文
【補正方法】変更
【補正の内容】
【特許請求の範囲】
【請求項１】
連続的に出力されるエネルギービームを被照射物上に走査させる手段と、
前記走査されたエネルギービームの一端及び他端が、少なくとも前記被照射物上の素子形成領域間を照射するように前記被照射物の位置を制御する手段と、
を有するビーム照射装置であって
前記走査させる手段は鏡面体を有し、前記鏡面体は前記ビームの光軸上に配置された軸に固定され、前記軸を中心として振動することを特徴とするビーム照射装置。
【請求項２】
連続的に出力されるエネルギービームを被照射物上に走査させる手段と、
前記走査する手段と同期して、前記走査されたエネルギービームの一端及び他端が、少なくとも前記被照射物上の素子形成領域間を照射するように前記被照射物の位置を制御する手段と、
を有するビーム照射装置であって、
前記走査させる手段は鏡面体を有し、前記鏡面体は前記ビームの光軸上に配置された軸に固定され、前記軸を中心としては振動することを特徴とするビーム照射装置。
【請求項３】
連続的に出力される複数のエネルギービームを被照射物上に走査させる複数の手段と、
前記走査された複数のエネルギービームの一端及び他端が、少なくとも前記被照射物上の素子形成領域間を照射するように前記被照射物の位置を制御する手段と、
を有するビーム照射装置であって、
前記複数の走査させる手段は鏡面体を有し、前記鏡面体は前記ビームの光軸上に配置された軸に固定され、前記軸を中心として振動することを特徴とするビーム照射装置。
【請求項４】
連続的に出力される複数のエネルギービームを被照射物上に走査させる複数の手段と、
前記走査する手段と同期して、前記走査された複数のエネルギービームの一端及び他端が、少なくとも前記被照射物上の素子形成領域間を照射するように前記被照射物の位置を制御する手段と、
を有するビーム照射装置であって、
前記複数の走査させる手段は鏡面体を有し、前記鏡面体は前記ビームの光軸上に配置された軸に固定され、前記軸を中心として振動することを特徴とするビーム照射装置。
【請求項５】
請求項１乃至４のいずれか一において、前記鏡面体は平面又は曲面を有することを特徴とするビーム照射装置。
【請求項６】
請求項１乃至４のいずれか一において、前記走査する手段はガルバノミラー又はポリゴンミラーを有することを特徴とするビーム照射装置。
【請求項７】
連続的に出力されるエネルギービームを被照射物に走査しながら照射するビーム照射方法において、
少なくとも前記被照射物に形成された素子形成領域間で、前記ビームの走査方向を変えることを特徴とするビーム照射方法。
【請求項８】
連続的に出力されるエネルギービームと、被照射物とを相対的に走査しながら照射するビーム照射方法において、
前記ビームが複数の鏡面体により反射することで、前記被照射物を処理し、前記反射している鏡面体の面毎に、前記エネルギービームと、前記被照射物との相対的な位置を制御し、
少なくとも前記被照射物に形成された素子形成領域間で、前記ビームの走査方向を変えることを特徴とするビーム照射方法。
【請求項９】
請求項７又は８において、前記走査する手段はガルバノミラー又はポリゴンミラーを有することを特徴とするビーム照射方法。
【請求項１０】
連続的に出力されるエネルギービームを半導体膜に走査しながら照射して結晶性半導体膜を形成し、
前記結晶性半導体膜上にゲート電極を形成し、
前記ゲート電極をマスクとして前記結晶性半導体膜に不純物領域を形成する薄膜トランジスタの作製方法において、
少なくとも前記半導体膜に形成された素子形成領域間で、前記ビームの走査方向を変えることを特徴とする薄膜トランジスタの作製方法。
【請求項１１】
連続的に出力されるエネルギービームを半導体膜に走査しながら照射して結晶性半導体膜を形成し、
前記結晶性半導体膜上にゲート電極を形成し、
前記ゲート電極をマスクとして前記結晶性半導体膜に不純物領域を形成する薄膜トランジスタの作製方法において、
前記ビームが複数の鏡面体により反射することで、前記被照射物を処理し、前記反射している鏡面体の面毎に、前記エネルギービームと、前記被照射物との相対的な位置を制御し、
少なくとも前記被照射物に形成された素子形成領域間で、前記ビームの走査方向を変えることを特徴とする薄膜トランジスタの作製方法。
【請求項１２】
請求項１０又は１１において、前記走査する手段はガルバノミラー又はポリゴンミラーを有することを特徴とする薄膜トランジスタの作製方法。
【請求項１３】
請求項１０乃至１２のいずれか一において、前記素子形成領域は、表示装置、又は集積回路が形成される領域であることを特徴とする薄膜トランジスタの作製方法。
【手続補正書】
【提出日】平成19年3月30日(2007.3.30)
【手続補正１】
【補正対象書類名】特許請求の範囲
【補正対象項目名】全文
【補正方法】変更
【補正の内容】
【特許請求の範囲】
【請求項１】
連続的に出力されるエネルギービームを被照射物上に走査する手段と、
前記ビームの走査方向が変わる位置での前記ビームを遮光する手段と、
を有することを特徴とするビーム照射装置。
【請求項２】
連続的に出力されるエネルギービームを被照射物上に走査する手段と、
前記走査する手段と同期して、前記ビームの走査方向が変わる位置での前記ビームを遮光する手段と、
を有することを特徴とするビーム照射装置。
【請求項３】
連続的に出力されるエネルギービームを被照射物上に走査する手段と、
前記ビームの走査方向が変わる位置での前記ビームを遮光する手段と、
を有し、
前記遮光する手段は前記走査する手段の付近に配置されることを特徴とするビーム照射装置。
【請求項４】
連続的に出力されるエネルギービームを被照射物上に走査する手段と、
前記ビームの走査方向が変わる位置での前記ビームを遮光する手段と、
を有し、
前記遮光する手段と前記被照射物との距離は１ｃｍ以下であることを特徴とするビーム照射装置。
【請求項５】
請求項１乃至４のいずれか一において、前記連続的に出力されるエネルギービーム及び前記ビームを遮光する手段を複数有することを特徴とするビーム照射装置。
【請求項６】
請求項１乃至５のいずれか一において、
前記走査する手段は鏡面体を有し、前記鏡面体は前記ビームの光軸上に配置されるよう軸に固定され、前記軸を中心として前記鏡面体は振動又は回転することを特徴とするビーム照射装置。
【請求項７】
請求項１乃至５のいずれか一において、前記走査する手段はガルバノミラー又はポリゴンミラーを有することを特徴とするビーム照射装置。
【請求項８】
請求項１乃至７のいずれか一において、前記遮光する手段は、前記ビームを反射する反射体、又は前記ビームを吸収する吸収体を有する遮光板であることを特徴とするビーム照射装置。
【請求項９】
請求項８において、前記遮光板には矩形の開口部が設けられることを特徴とするビーム照射装置。
【請求項１０】
請求項９において、前記開口部の長軸方向の長さは３〜３０ｃｍであることを特徴とするビーム照射装置。
【請求項１１】
連続的に出力されるエネルギービームを被照射物に走査しながら照射するビーム照射方法において、
前記被照射物上において、前記ビームの走査方向が変わる位置を遮光することを特徴とするビーム照射方法。
【請求項１２】
連続的に出力されるエネルギービームを被照射物に走査しながら照射するビーム照射方法において、
前記走査に同期して、前記被照射物上において、前記ビームの走査方向が変わる位置を遮光することを特徴とするビーム照射方法。
【請求項１３】
請求項１１又は１２において、
前記走査する手段は鏡面体を有し、前記鏡面体は前記ビームの光軸上に配置されるよう軸に固定され、前記軸を中心として前記鏡面体が振動又は回転することを特徴とするビーム照射方法。
【請求項１４】
請求項１１又は１２において、
前記走査する手段はガルバノミラー又はポリゴンミラーを有することを特徴とするビーム照射方法。
【請求項１５】
連続的に出力されるエネルギービームと、被照射物とを相対的に走査しながら照射するビーム照射方法において、
複数の鏡面体により前記ビームが順に反射することにより、前記被照射物を処理し、
前記ビームを反射する鏡面体が変わる毎に、前記ビームと、前記被照射物との相対的な位置を設定し、
前記被照射物上において、前記ビームの走査方向が変わる位置を遮光することを特徴とするビーム照射方法。
【請求項１６】
連続的に出力されるエネルギービームと、被照射物とを相対的に走査しながら照射するビーム照射方法において、
複数の鏡面体により前記ビームが順に反射することにより、前記被照射物を処理し、
前記ビームを反射する鏡面体が変わる毎に、前記ビームと、前記被照射物との相対的な位置を設定し、
前記走査に同期して、前記被照射物上において、前記ビームの走査方向が変わる位置を遮光することを特徴とするビーム照射方法。
【請求項１７】
連続的に出力されるエネルギービームを半導体膜に走査しながら照射して結晶性半導体膜を形成し、
前記結晶性半導体膜上にゲート電極を形成し、
前記ゲート電極をマスクとして前記結晶性半導体膜に不純物領域を形成する薄膜トランジスタの作製方法において、
前記半導体膜上において、前記ビームの走査方向が変わる位置を遮光することを特徴とする薄膜トランジスタの作製方法。
【請求項１８】
連続的に出力されるエネルギービームを半導体膜に走査しながら照射して結晶性半導体膜を形成し、
前記結晶性半導体膜上にゲート電極を形成し、
前記ゲート電極をマスクとして前記結晶性半導体膜に不純物領域を形成する薄膜トランジスタの作製方法において、
前記走査に同期して、前記半導体膜上において、前記ビームの走査方向が変わる位置を遮光することを特徴とする薄膜トランジスタの作製方法。
【請求項１９】
請求項１７又は１８において、
前記走査する手段は鏡面体を有し、前記鏡面体は前記ビームの光軸上に配置されるよう軸に固定され、
前記軸を中心として前記鏡面体が振動又は回転することを特徴とする薄膜トランジスタの作製方法。
【請求項２０】
請求項１７又は１８において、
前記走査する手段はガルバノミラー又はポリゴンミラーを有することを特徴とする薄膜トランジスタの作製方法。
【請求項２１】
連続的に出力されるエネルギービームを半導体膜に走査しながら照射して結晶性半導体膜を形成し、
前記結晶性半導体膜上にゲート電極を形成し、
前記ゲート電極をマスクとして前記結晶性半導体膜に不純物領域を形成する薄膜トランジスタの作製方法において、
複数の鏡面体により前記ビームが順に反射することにより、前記半導体膜を処理し、
前記ビームを反射する鏡面体が変わる毎に、前記ビームと、前記半導体膜との相対的な位置を設定し、
前記半導体膜上において、前記ビームの走査方向が変わる位置を遮光することを特徴とする薄膜トランジスタの作製方法。
【請求項２２】
連続的に出力されるエネルギービームを半導体膜に走査しながら照射して結晶性半導体膜を形成し、
前記結晶性半導体膜上にゲート電極を形成し、
前記ゲート電極をマスクとして前記結晶性半導体膜に不純物領域を形成する薄膜トランジスタの作製方法において、
複数の鏡面体により前記ビームが順に反射することにより、前記半導体膜を処理し、
前記ビームを反射する鏡面体が変わる毎に、前記ビームと、前記半導体膜との相対的な位置を設定し、
前記走査に同期して、前記半導体膜上において、前記ビームの走査方向が変わる位置を遮光することを特徴とする薄膜トランジスタの作製方法。
【手続補正書】
【提出日】平成19年4月9日(2007.4.9)
【手続補正１】
【補正対象書類名】特許請求の範囲
【補正対象項目名】全文
【補正方法】変更
【補正の内容】
【特許請求の範囲】
【請求項１】
連続的に出力されるビームを被照射物上において走査する手段を有し、
前記走査する手段は平面又は曲面を有する鏡面体を有し、
前記鏡面体は前記ビームの光軸上に配置されるよう軸に固定され、前記軸を中心として回転することを特徴とするビーム照射装置。
【請求項２】
請求項１において、
前記走査する手段を複数有することを特徴とするビーム照射装置。
【請求項３】
請求項１又は２において、
前記軸は、一端部、又は両端部に支持棒が設けられることを特徴とするビーム照射装置。
【請求項４】
連続的に出力されるビームを被照射物上において走査する手段を有し、
前記走査する手段は平面又は曲面を有する複数の鏡面体を有し、
前記複数の鏡面体は前記ビームの光軸上に、前記鏡面体の側面が互いに接しないよう軸に固定され、前記軸を中心として回転することを特徴とするビーム照射装置。
【請求項５】
請求項１乃至４のいずれか一において、
前記被照射物と、前記ビームを相対的に移動させる手段を有することを特徴とするビーム照射装置。
【請求項６】
請求項５において、
前記移動させる手段は、前記走査する手段の走査と同期して移動するように制御する制御装置を有することを特徴とするビーム照射装置。
【請求項７】
請求項１乃至６のいずれか一において、
前記ビームは、ＹＶＯ４レーザ、ＹＡＧレーザ、ＹＬＦレーザ、ＹＡｌＯ３レーザ、及びＡｒレーザのいずれかから射出されたビームであることを特徴とするビーム照射装置。
【請求項８】
請求項１乃至７のいずれか一において、
前記ビームを線状に加工する光学系を有し、前記光学系は前記ビームの発振器と、前記走査する手段との間に配置されることを特徴とするビーム照射装置。
【請求項９】
請求項１乃至８のいずれか一において、
前記走査する手段と、前記被照射物との間にはｆθレンズが配置されることを特徴とするビーム照射装置。
【請求項１０】
請求項１乃至９のいずれか一において、
前記走査する手段と、前記被照射物との間にはテレセントリックｆθレンズが配置されることを特徴とするビーム照射装置。
【請求項１１】
平面又は曲面を有する複数の鏡面体を、連続的に出力されるビームの光軸上に配置されるように軸に固定し、
前記複数の鏡面体を前記軸を中心として回転させ、前記ビームを順に反射させることにより、被照射物上において前記ビームを走査し、
前記鏡面体の面毎に、前記ビームと、前記被照射物との相対的な位置を制御することを特徴とするビーム照射方法。
【請求項１２】
請求項１１において、
前記複数の鏡面体は間隔をあけて設けられていることを特徴とするビーム照射方法。
【請求項１３】
請求項１１において、
前記複数の鏡面体は接して設けられていることを特徴とするビーム照射方法。
【請求項１４】
請求項１１乃至１３のいずれか一において、
前記ビームを走査する手段はポリゴンミラーを有することを特徴とするビーム照射方法。
【請求項１５】
平面又は曲面を有するＮ個（１≦ｎ≦Ｎ：ｎは整数）の鏡面体を、連続的に出力されるビームの光軸上に配置されるように軸に固定し、
前記Ｎ個の鏡面体を前記軸を中心として回転させ、前記ビームを順に反射させることにより、被照射物上において前記ビームを走査し、
ｎ番目の鏡面体による走査が終了した後、前記被照射物との相対的な位置Ｙ（ｎ）を設定することを特徴とするビーム照射方法。
【請求項１６】
請求項１５において、
前記ビームを走査する手段は、ガルバノミラー又はポリゴンミラーを有することを特徴とするビーム照射方法。
【請求項１７】
請求項１１乃至１６のいずれか一において、
前記ビームは、ＹＶＯ４レーザ、ＹＡＧレーザ、ＹＬＦレーザ、ＹＡｌＯ３レーザ、及びＡｒレーザのいずれかから射出されたビームであることを特徴とするビーム照射方法。
【請求項１８】
平面又は曲面を有する複数の鏡面体を、連続的に出力されるビームの光軸上に配置されるように軸に固定し、
前記複数の鏡面体を前記軸を中心として回転させ、前記ビームを順に反射させることにより、半導体膜上において前記ビームを走査して結晶性半導体膜を形成し、
前記結晶性半導体膜の上方にゲート電極を形成し、
前記ゲート電極をマスクとして前記半導体膜に不純物領域を形成し、
前記鏡面体の面毎に、前記ビームと、前記半導体膜との相対的な位置を制御することを特徴とする薄膜トランジスタの作製方法。
【請求項１９】
平面又は曲面を有するＮ個（１≦ｎ≦Ｎ：ｎは整数）の鏡面体を、連続的に出力されるビームの光軸上に配置されるように軸に固定し、
前記Ｎ個の鏡面体を前記軸を中心として回転させ、前記ビームを順に反射させることにより、半導体膜上において前記ビームを走査して結晶性半導体膜を形成し、
前記結晶性半導体膜の上方にゲート電極を形成し、
前記ゲート電極をマスクとして前記半導体膜に不純物領域を形成し、
ｎ番目の前記鏡面体による走査が終了した後、前記半導体膜との相対的な位置Ｙ（ｎ）を設定することを特徴とする薄膜トランジスタの作製方法。
【請求項２０】
請求項１８又は１９において、
前記ビームは、ＹＶＯ４レーザ、ＹＡＧレーザ、ＹＬＦレーザ、ＹＡｌＯ３レーザ、及びＡｒレーザのいずれかから射出されたビームであることを特徴とする薄膜トランジスタの作製方法。
【手続補正書】
【提出日】平成19年7月4日(2007.7.4)
【手続補正１】
【補正対象書類名】明細書
【補正対象項目名】０００７
【補正方法】変更
【補正の内容】
【０００７】
上記課題を解決した本発明は、粒子径５００μｍ以下の導電性粒子を樹脂に対して９０〜７００容量％分散させてなり、JIS K 6833に準じて測定される粘度が４００〜１２００ｍＰａ・ｓ（±２００ｍＰａ・ｓ）かつJIS K 5600-3-2に準じて測定される表面乾燥性（バロチニ法）が２〜３０分の導電性粗面形成材を用い、
金属材上に前記粗面形成材を、吹付け圧力０．３〜１．０Ｍｐａかつ吹付け距離５０〜４００ｍｍの条件下でスプレー塗布して、前記金属材上に前記粗面形成材からなる導電性粗面皮膜を形成する、
ことを特徴とする導電性粗面の形成方法である。
【手続補正書】
【提出日】平成19年8月9日(2007.8.9)
【手続補正１】
【補正対象書類名】特許請求の範囲
【補正対象項目名】全文
【補正方法】変更
【補正の内容】
【特許請求の範囲】
【請求項１】
基材と表皮との間に発泡体を備えた多層成形品の製造方法であって、
第１の合成樹脂により所定形状に成形された基材の上面に、発泡樹脂により所定形状に成形された発泡体を載置した状態でこれらの基材及び発泡体を金型内に挿入して型締めした後、前記発泡体の上面を覆うように前記金型内に第２の合成樹脂を充填して硬化させることを特徴とする多層成形品の製造方法。
【請求項２】
前記基材と前記発泡体との間に隙間を設け、この隙間内に前記第２の合成樹脂を充填することを特徴とする請求項１に記載の多層成形品の製造方法。
【請求項３】
前記基材と前記表皮との間に前記発泡体を備えた第１の領域と、前記基材の上面に前記表皮が形成された第２の領域とを形成することを特徴とする請求項１または２に記載の多層成形品の製造方法。
【請求項４】
前記基材の上面に凹溝を設け、該凹溝の上端部に前記発泡体の下面が位置するように該発泡体を載置することを特徴とする請求項１から請求項３のいずれか一項に記載の多層成形品の製造方法。
【請求項５】
前記基材の上面と前記発泡体の下面との間に遮断部を設け、前記金型内に前記第２の合成樹脂を充填する際に、前記遮断部により前記凹溝内に前記第２の合成樹脂が流入されるのを遮断することを特徴とする請求項４に記載の多層成形品の製造方法。
【手続補正２】
【補正対象書類名】明細書
【補正対象項目名】発明の名称
【補正方法】変更
【補正の内容】
【発明の名称】多層成形品の製造方法
【手続補正３】
【補正対象書類名】明細書
【補正対象項目名】０００１
【補正方法】変更
【補正の内容】
【０００１】
この発明は、例えば、インストルメントパネル、ドアトリム、コンソールボックス等の車両内装部品や家具や椅子等の人や動物が直接触れる部材を構成する合成樹脂製の多層成形品の製造方法に関するものである。
【手続補正４】
【補正対象書類名】明細書
【補正対象項目名】０００４
【補正方法】変更
【補正の内容】
【０００４】
本発明は、このような従来技術に存在する問題点に着目してなされたものである。その目的とするところは、触感が良好な多層成形品の製造方法を提供することにある。
【手続補正５】
【補正対象書類名】明細書
【補正対象項目名】０００５
【補正方法】変更
【補正の内容】
【０００５】
上記の目的を達成するために、請求項１に記載の発明は、基材と表皮との間に発泡体を備えた多層成形品であって、第１の合成樹脂により所定形状に成形された基材の上面に、発泡樹脂により所定形状に成形された発泡体を載置した状態でこれらの基材及び発泡体を金型内に挿入して型締めした後、前記発泡体の上面を覆うように前記金型内に第２の合成樹脂を充填して硬化させることを要旨とする。
【手続補正６】
【補正対象書類名】明細書
【補正対象項目名】０００７
【補正方法】変更
【補正の内容】
【０００７】
請求項２に記載の発明は、請求項１に記載の発明において、前記基材と前記発泡体との間に隙間を設け、この隙間内に前記第２の合成樹脂を充填することを要旨とする。
従って、第２の合成樹脂に接着性を有するものを用いることで、別途接着剤を用いなくても基材と発泡体とを容易に接着することができる。
【手続補正７】
【補正対象書類名】明細書
【補正対象項目名】０００８
【補正方法】変更
【補正の内容】
【０００８】
請求項３に記載の発明は、請求項１または請求項２に記載の発明において、前記基材と前記表皮との間に前記発泡体を備えた第１の領域と、前記基材の上面に前記表皮が形成された第２の領域とを形成することを要旨とする。
【手続補正８】
【補正対象書類名】明細書
【補正対象項目名】０００９
【補正方法】変更
【補正の内容】
【０００９】
従って、発泡体を必要な部分のみに備えることで、発泡体を全体に備えた場合と較べて多層成形品の軽量化を図ることができる。
請求項４に記載の発明は、請求項１から請求項３のいずれか一項に記載の発明において、前記基材の上面に凹溝を設け、該凹溝の上端部に前記発泡体の下面が位置するように該発泡体を載置することを要旨とする。
【手続補正９】
【補正対象書類名】明細書
【補正対象項目名】００１１
【補正方法】変更
【補正の内容】
【００１１】
請求項５に記載の発明は、請求項４に記載の発明において、前記基材の上面と前記発泡体の下面との間に遮断部を設け、前記金型内に前記第２の合成樹脂を充填する際に、前記遮断部により前記凹溝内に前記第２の合成樹脂が流入されるのを遮断することを要旨とする。
【手続補正１０】
【補正対象書類名】明細書
【補正対象項目名】００１２
【補正方法】変更
【補正の内容】
【００１２】
従って、凹溝内に第２の合成樹脂が流入されないので、基材の凹溝と発泡体とで確実に通路を形成することができる。
【手続補正１１】
【補正対象書類名】明細書
【補正対象項目名】００１３
【補正方法】変更
【補正の内容】
【００１３】
本発明によれば、触感が良好な多層成形品の製造方法を提供することができる。
【手続補正書】
【提出日】平成19年6月28日(2007.6.28)
【手続補正１】
【補正対象書類名】特許請求の範囲
【補正対象項目名】請求項５
【補正方法】変更
【補正の内容】
【請求項５】
前記読出手段は、排紙部に設置されていることを特徴とする請求項１〜４の何れかに記載の画像形成装置。
【手続補正２】
【補正対象書類名】特許請求の範囲
【補正対象項目名】請求項６
【補正方法】変更
【補正の内容】
【請求項６】
前記読出手段は、前記画像形成装置の筐体の表面に設置されていることを特徴とする請求項１〜４の何れかに記載の画像形成装置。
【手続補正３】
【補正対象書類名】特許請求の範囲
【補正対象項目名】請求項１０
【補正方法】変更
【補正の内容】
【請求項１０】
ユーザ名と対応して通知先を予め登録する登録工程と、
画像形成処理が施された記録紙に付加されている非接触ＩＣに予め記憶されている記録紙ＩＤを読み出す読出工程と、
前記読出工程により読み出された記録紙ＩＤと対応付けて、前記画像形成処理を指示したユーザのユーザ名を管理する管理工程と、
前記読出工程により読み出された記録紙ＩＤに対応するユーザ名を前記管理工程で管理されているユーザ名の中から検索し、さらに検索に係るユーザ名に対応する通知先を前記登録工程で登録された通知先の中から検索する検索工程と、
前記画像形成処理が施された記録紙が放置されている旨を前記検索工程により検索された通知先に通知する通知工程と、
を有することを特徴とする画像形成装置の制御方法。
【手続補正書】
【提出日】平成19年4月16日(2007.4.16)
【手続補正１】
【補正対象書類名】特許請求の範囲
【補正対象項目名】全文
【補正方法】変更
【補正の内容】
【特許請求の範囲】
【請求項１】
所定のジョブを不揮発性の蓄積手段に順次蓄積し、該蓄積した前記所定のジョブを画像形成処理した後、該蓄積手段に蓄積した前記所定のジョブを消去する第１のモードと、前記所定のジョブを前記蓄積手段に蓄積することなく画像形成処理を行う第２のモードとを備える画像形成装置であって、
ユーザを特定する認証情報を入力する入力手段と、
前記入力手段により入力した認証情報に基づいて、前記画像形成装置の使用要求が認められた正当なユーザか否かを識別する識別手段と、
前記所定のジョブを前記第１のモードで処理するか否かを決定するためのジョブ制御情報を前記識別手段により識別されるユーザ毎に記憶する記憶手段と、
前記識別手段により識別された正当ユーザのジョブ制御情報が前記記憶手段に記憶されているかどうかを判別する判別手段と、
前記判別手段による判別結果に基づき、前記所定のジョブ処理を前記第１のモードまたは第２のモードのいずれかで実行させるように制御する制御手段と、
を有することを特徴とする画像形成装置。
【請求項２】
前記制御手段は、前記判別手段により前記ジョブ制御情報が記憶されていないと判別した場合に、前記所定のジョブを前記第２のモードで処理することを特徴とする請求項１に記載の画像形成装置。
【請求項３】
所定の通信媒体を介してホストコンピュータからプリントジョブを受信する受信手段と、
前記プリントジョブのジョブ属性で指定される前記ジョブ制御情報に従う第１のジョブ設定と、前記第１のジョブ設定を優先するか否かを設定する優先度設定手段とを有し、
前記制御手段は、前記優先度設定手段により前記第１のジョブ設定を優先する設定がなされていた場合には、前記第１のジョブ設定に基づくプリント処理を実行し、前記優先度設定手段により前記第１のジョブ設定を優先しない設定がなされていた場合には、前記記憶手段に前記ユーザ毎に記憶されているジョブ制御情報に基づくプリント処理を実行するよう制御することを特徴とする請求項１に記載の画像形成装置。
【請求項４】
前記所定のジョブは、プリントジョブ、またはコピージョブの少なくともいずれかを含むことを特徴とする請求項１に記載の画像形成装置。
【請求項５】
所定のジョブを不揮発性の蓄積手段に順次蓄積し、該蓄積した前記所定のジョブを画像形成処理した後、該蓄積手段に蓄積した前記所定のジョブを消去する第１のモードと、前記所定のジョブを前記蓄積手段に蓄積することなく画像形成処理を行う第２のモードとを備える画像形成装置におけるジョブ処理方法であって、
ユーザを特定する認証情報を入力する入力ステップと、
前記入力ステップにて入力した認証情報に基づいて、前記画像形成装置の使用要求が認められた正当なユーザか否かを識別する識別ステップと、
前記識別ステップにより識別される正当なユーザが設定可能な前記所定のジョブを前記第１のモードで処理するか否かを決定するためのジョブ制御情報を記憶しているか否かを判別する判別ステップと、
前記判別ステップによる判別結果に基づき、前記所定のジョブ処理を前記第１のモードまたは第２のモードのいずれかで実行させるように制御する制御ステップと、
を有することを特徴とするジョブ処理方法。
【請求項６】
前記制御ステップは、前記判別ステップにより前記ジョブ制御情報が記憶されていないと判別した場合に、前記所定のジョブを前記第２のモードで処理することを特徴とする請求項５に記載のジョブ処理方法。
【請求項７】
所定の通信媒体を介してホストコンピュータからプリントジョブを受信する受信ステップと、
前記プリントジョブのジョブ属性で指定される前記ジョブ制御情報に従う第１のジョブ設定を優先するか否かを設定する優先度設定に基づいて前記第１のジョブ設定を優先するか否かを判定する判定ステップとを有し、
前記制御ステップは、前記判定ステップが前記第１のジョブ設定を優先すると判定した場合には、前記第１のジョブ設定に基づいてプリント処理を実行し、前記判定ステップが前記第１のジョブ設定を優先しないと判定した場合には、前記判別ステップの判別結果に基づいて前記プリント処理を前記第１のモードまたは前記第２のモードで実行することを特徴とする請求項５に記載のジョブ処理方法。
【請求項８】
前記所定のジョブは、プリントジョブ、コピージョブを含むことを特徴とする請求項５に記載のジョブ処理方法。
【請求項９】
請求項５〜８のいずれかに記載のジョブ処理方法を実行させるためのプログラムを記録したことを特徴とするコンピュータが読み取り可能な記憶媒体。
【請求項１０】
請求項５〜８のいずれかに記載のジョブ処理方法を実行させることを特徴とするプログラム。
【手続補正２】
【補正対象書類名】明細書
【補正対象項目名】０００９
【補正方法】変更
【補正の内容】
【０００９】
本発明は、所定のジョブを不揮発性の蓄積手段に順次蓄積し、該蓄積した前記所定のジョブを画像形成処理した後、該蓄積手段に蓄積した前記所定のジョブを消去する第１のモードと、前記所定のジョブを前記蓄積手段に蓄積することなく画像形成処理を行う第２のモードとを備える画像形成装置であって、ユーザを特定する認証情報を入力する入力手段と、前記入力手段により入力した認証情報に基づいて、前記画像形成装置の使用要求が認められた正当なユーザか否かを識別する識別手段と、前記所定のジョブを前記第１のモードで処理するか否かを決定するためのジョブ制御情報を前記識別手段により識別されるユーザ毎に記憶する記憶手段と、前記識別手段により識別された正当なユーザのジョブ制御情報が前記記憶手段に記憶されているかどうかを判別する判別手段と、前記判別手段による判別結果に基づき、前記所定のジョブ処理を前記第１のモードまたは第２のモードのいずれかで実行させるように制御する制御手段とを有することを特徴とする。
【手続補正書】
【提出日】平成18年11月17日(2006.11.17)
【手続補正１】
【補正対象書類名】特許請求の範囲
【補正対象項目名】全文
【補正方法】変更
【補正の内容】
【特許請求の範囲】
【請求項１】
原稿を読み取って得られる画像データを管理するとともに、前記画像データに基づいて生成される印刷物を用いて、前記印刷物のコピーを生成する画像形成装置であって、
前記原稿を読み取る読取手段と、
前記読取手段によって得られる画像データを特定する識別情報を生成する生成手段と、
前記識別情報が付加された印刷物をコピーするために、ユーザによって前記印刷物の前記読取手段による読取指示が入力された場合、該読取手段が読み取った印刷物中の該識別情報に対応するアクセスレベルを取得する取得手段と、
前記取得手段で取得したアクセスレベルに基づいて、前記識別情報に対応する画像データの印刷を制御する制御手段と
を備えることを特徴とする画像形成装置。
【請求項２】
ネットワークを介して接続される、画像データを管理するサーバを更に備え、
前記サーバは、前記画像データとその識別情報、該画像データに設定される印刷に係るアクセスレベルを対応づけて記憶する記憶手段を備える
ことを特徴とする請求項１に記載の画像形成装置。
【請求項３】
前記アクセスレベルは、前記記憶手段で記憶される画像データによる印刷を許可する第１アクセスレベル、前記読取手段によって得られる画像データによる印刷を許可する第２アクセスレベル、前記読取手段によって得られる画像データによる印刷を禁止する第３アクセスレベルを有する
ことを特徴とする請求項２に記載の画像形成装置。
【請求項４】
前記アクセスレベルが前記第１アクセスレベルである場合、前記制御手段は、前記識別情報に対応する画像データを前記記憶手段より取得して、該画像データの印刷を実行することで、前記印刷物のコピーを生成する
ことを特徴とする請求項３に記載の画像形成装置。
【請求項５】
前記アクセスレベルが前記第２アクセスレベルである場合、前記制御手段は、前記読取手段によって得られる前記識別情報が付加された印刷物の画像データの印刷を実行することで、前記印刷物のコピーを生成する
ことを特徴とする請求項３に記載の画像形成装置。
【請求項６】
前記アクセスレベルが前記第３アクセスレベルである場合、前記制御手段は、前記識別情報に対応する画像データの印刷の実行を禁止する
ことを特徴とする請求項３に記載の画像形成装置。
【請求項７】
前記アクセスレベルは、ユーザあるいはユーザグループ単位で設定されている
ことを特徴とする請求項１に記載の画像形成装置。
【請求項８】
前記取得手段は、前記識別情報を前記サーバに送信する送信手段と、
前記識別情報に対応するアクセスレベルを前記サーバより受信する受信手段とに備える
ことを特徴とする請求項２に記載の画像形成装置。
【請求項９】
前記印刷物のコピー操作を行うユーザの認証を行う認証手段を更に備える
ことを特徴とする請求項１に記載の画像形成装置。
【請求項１０】
前記生成手段は、前記識別情報を電子透かし情報として生成する
ことを特徴とする請求項１に記載の画像形成装置。
【請求項１１】
原稿を読み取って得られる画像データを管理するとともに、前記画像データに基づいて生成される印刷物を用いて、前記印刷物のコピーを生成する画像形成装置の制御方法であって、
前記原稿を読み取る読取部によって得られる画像データを特定する識別情報を生成する生成工程と、
前記識別情報が付加された印刷物をコピーするために、ユーザによって前記印刷物の前記読取部による読取指示が入力された場合、該読取部が読み取った印刷物中の該識別情報に対応するアクセスレベルを取得する取得工程と、
前記取得工程で取得したアクセスレベルに基づいて、前記識別情報に対応する画像データの印刷を制御する制御工程と
を備えることを特徴とする画像形成装置の制御方法。
【請求項１２】
原稿を読み取って得られる画像データを管理するとともに、前記画像データに基づいて生成される印刷物を用いて、前記印刷物のコピーを生成する画像形成装置の制御をコンピュータに実行させるためのプログラムであって、
前記原稿を読み取る読取部によって得られる画像データを特定する識別情報を生成する生成工程と、
前記識別情報が付加された印刷物をコピーするために、ユーザによって前記印刷物の前記読取部による読取指示が入力された場合、該読取部が読み取った印刷物中の該識別情報に対応するアクセスレベルを取得する取得工程と、
前記取得工程で取得したアクセスレベルに基づいて、前記識別情報に対応する画像データの印刷を制御する制御工程と
をコンピュータに実行させることを特徴とするプログラム。
【手続補正書】
【提出日】平成18年11月16日(2006.11.16)
【手続補正１】
【補正対象書類名】明細書
【補正対象項目名】００２０
【補正方法】変更
【補正の内容】
【００２０】
図４のおむつ１において、第１接着剤４１は、第２シート片３２の図柄２６の透視が容易となるように、第２シート片３２の広い範囲にわたって、おむつ１の幅方向Ａと上下方向Ｂとに間欠的または連続的に塗布される。ただし、第２シート片３２は、図柄２６の存在する部位とその近傍のみを外面シート２１に接合して、残余の部位を外面シート２１に接合することがなければ、第１接着剤４１によって外面シート２１の肌触りが広い範囲にわたって固くなるということを防ぐことができる。このように外面シート２１と第２シート片３２とが接合している部位は、第２シート片３２が非伸長性のものであるから、被覆部２が幅方向Ａや上下方向Ｂへ引張られても、殆ど伸長することがない。第３接着剤４３は、前後胴周り域６，７それぞれにおいて、内面シート２２を第１シート片３１と第２シート片３２とに接合し、股下域８において、内面シート２２を外面シート２１に接合することによって、体液吸収部３が取り付けられる部位における内面シート２２の強度向上を図ることができる。ただし、そのような強度向上が不要であれば、第３接着剤４３を省くことができる。第２接着剤４２は、半固定領域ｍにおいて幅方向Ａと上下方向Ｂとにおいて間欠的に塗布される。好ましいおむつ１において、かかる半固定領域ｍの第２接着剤４２はまた、半固定領域ｍの単位面積において占める塗布面積の割合が第１シート片３１の側縁部４６から幅方向Ａに向かって次第に小さくなるように塗布され（図５、６参照）、それに伴って、半固定領域ｍの単位面積において、第２接着剤４２を介して互いに接合している外面シート２１と内面シート２２との接合域５１が占める接合面積の割合もまた、側縁部４６から幅方向Ａに向かって次第に小さくなる。このおむつ１では、半固定領域ｍから側縁部１１，１２の部位１４に至る範囲において、外面シート２１と内面シート２２とは互いに接合することがなく、厚さの薄い外面シート２１の肌触りが接着剤の存在によって硬くなるということがない。外面シート２１と内面シート２２とが不織布であれば、この範囲において重なり合うこれら両シート２１，２２は、互いの繊維が絡み合い、あたかも１枚の不織布であるかの如くになって、弾性的に伸長する。外面シート２１は、このように内面シート２２と一体化することによって破れにくくなり、また仮に破れても、それが内面シート２２と一体化している部位であれば目立ちにくくなる。特に、その繊維がエラストマーを含むものであれば、繊維の摩擦係数は一般的に高くなるので、絡み合った繊維どうしは離れにくく、両シート２１，２２は互いに剥がれにくくなる。第４接着剤４４は、幅方向Ａと上下方向Ｂとにおいて間欠的または連続的に塗布される。好ましいおむつ１においては、幅方向Ａにおける体液吸収部３の中央部のみが第４接着剤を介して内面シート２２に接合し、体液吸収部３の側縁部５２は、内面シート２２に対して非接合状態にある。内面シートに２２に対する中央部の幅は、体液吸収部３の幅Ｗの３０〜７０％の範囲にあることが好ましい。図１のおむつ１において、前胴周り域６は、図４の後胴周り域７と同様に形成されている。
【手続補正２】
【補正対象書類名】明細書
【補正対象項目名】００２１
【補正方法】変更
【補正の内容】
【００２１】
図１〜４のように形成されているおむつ１の被覆部２の外面を形成している外面シート２１には、被覆部２の外側からのうさぎの図柄２６の識別を容易にすべく、ＪＩＳ  Ｋ  ７１０５に規定の「光線透過率及び全光線反射率」における「測定法Ａ」によって測定したときに少なくとも５５％、より好ましくは７０％以上の光線透過率を有するシートが使用される。一方、第１、第２シート片３１，３２よりも被覆部２の内側に位置する内面シート２２には、被覆部２が所要の引張り強度を有することができるとともに、おむつ着用者の肌を隠蔽することができるような厚さを有するシートが使用される。かようなおむつ１では、それが着用されて被覆部２が幅方向Ａに伸びるときに、外面シート２１における伸長応力が半固定領域ｍに形成された複数の接合域５１に分散し、半固定領域ｍにおける外面シート２１と内面シート２２とは、接合域５１では固定されていて伸長することがなくても、幅方向Ａにおいて互いに離間している接合域５１と５１との間では幅方向Ａに伸長する。かような意味で、半固定領域ｍに位置する外面シート２１と内面シート２２とは、半固定状態にあるということができる。また、半固定領域ｍにおいて、接合域５１の占める面積の割合が第１シート片３１や第２シート片３２の側縁部４６から幅方向Ａへ遠ざかるにつれて小さくなると、その面積の割合の変化に応じるように、外面シート２１と内面シート２２とは、第１シート片３１や第２シート片３２から離れて側縁部１１や１２に近づくにつれて徐々に伸長し易くなる。このような外面シート２１では、伸長応力が外面シート２１の狭い部位に集中して、その部位から外面シート２１が簡単に破れ始めるということがない。
【手続補正３】
【補正対象書類名】明細書
【補正対象項目名】００２７
【補正方法】変更
【補正の内容】
【００２７】
図５、６、７は、図２において仮想線で囲まれた範囲Ｐの拡大図であって、半固定領域ｍにおいて幅方向Ａに間欠的に塗布されている第２接着剤４２の塗布状態を例示している。図５では、第２接着剤４２が複数のドットを形成するように塗布され、そのドットの集合が第１シート片３１の側縁部４６の近傍では密であり、側縁部４６から遠ざかるにつれて粗になる。図６では、第２接着剤４２が複数条の短いラインを形成するように塗布されている。これら図５、６の例では、半固定領域ｍの単位面積において複数のドットが占める面積の割合が側縁部４６から遠ざかるにつれて小さくなる。このような態様のおむつ１では、接合域５１の存在によって高くなりがちな被覆部２の剛性が胴周り方向において徐々に変化するので、被覆部２は、全体的にしなやかになる傾向を有する。図７では第２接着剤４２からなるドットがほぼ一様に分布している。図５、６、７において、外面シート２１と内面シート２２とは、第２接着剤４２の各ドットにおいて接合し、接合域５１を形成する。なお、この発明は、第１〜第４接着剤４１〜４４が形成するドットの形状を規定するものではないから、それらのドット形状は、例えばホットメルト接着剤をスパイラルスプレー塗布機で塗布して得られる不定形なものであってもよい。また、この発明において、表示要素として使用される図柄２６は、尿で濡れると顕在化して排尿のあったことを母親に知らせる、いわゆるインジケータであってもよい。
【手続補正書】
【提出日】平成19年10月22日(2007.10.22)
【手続補正１】
【補正対象書類名】特許請求の範囲
【補正対象項目名】全文
【補正方法】変更
【補正の内容】
【特許請求の範囲】
【請求項１】
プレイヤによって操作される操作物を撮影する撮像手段と、
前記撮像手段による撮像画像に基づいて、前記操作物の状態情報を算出する状態情報算出手段と、
前記操作物に連動する連動オブジェクトの表示を、前記操作物の前記状態情報に基づいて制御する連動オブジェクト制御手段と、
前記連動オブジェクトの移動を制限する制限画像を制御する制限画像制御手段と、を備えるゲーム装置。
【請求項２】
プレイヤによって操作される操作物を撮影する撮像手段と、
前記撮像手段による撮像画像に基づいて、前記操作物の状態情報を算出する状態情報算出手段と、
前記操作物の位置を画面上に表すカーソルの表示を、前記操作物の前記状態情報に基づいて制御するカーソル制御手段と、
前記カーソルの動きに追従する追従オブジェクトの表示を、前記カーソルの座標情報に基づいて制御する追従オブジェクト制御手段と、を備えるゲーム装置。
【請求項３】
前記追従オブジェクトの移動を制限する制限画像を制御する制限画像制御手段をさらに備える請求項２記載のゲーム装置。
【請求項４】
プレイヤがゲームを継続できる指標となる情報を管理して、前記指標となる情報に基づいて、ゲームを終了させるゲーム継続管理手段をさらに備える請求項１又は３記載のゲーム装置。
【請求項５】
前記制限画像は、迷路を構成する画像である、請求項１、３又は４記載のゲーム装置。
【請求項６】
前記連動オブジェクトが、前記制限画像が表示される領域に接触あるいは侵入したときに、ゲームオーバーとなる、請求項１記載のゲーム装置。
【請求項７】
前記追従オブジェクトが、前記制限画像が表示される領域に接触あるいは侵入したときに、ゲームオーバーとなる、請求項３記載のゲーム装置。
【請求項８】
前記状態情報算出手段が算出する前記操作物の前記状態情報は、速さ情報、移動方向情報、移動距離情報、速度ベクトル情報、加速度情報、移動軌跡情報、面積情報、若しくは、位置情報、のいずれか、又は、それらの２以上の組み合わせ、である、請求項１又は２記載のゲーム装置。
【請求項９】
前記操作物に、予め定められた周期で、光を照射するストロボスコープをさらに備え、
前記撮像手段は、前記ストロボスコープの発光時及び消灯時のそれぞれにおいて、前記操作物を撮影して、発光時画像信号及び消灯時画像信号を生成し、
前記ゲーム装置は、前記発光時画像信号と前記消灯時画像信号との差分信号を生成する差分信号生成手段をさらに備え、
前記状態情報算出手段は、前記差分信号に基づいて、前記操作物の状態情報を算出する、請求項１から８のいずれかに記載のゲーム装置。
【請求項１０】
請求項１記載のゲーム装置のプレイヤが操作する操作物であって、
前記プレイヤによって把持される棒状の把持部と、
前記把持部の一方端に設けられ、受けた光を再帰反射する反射部と、を備える操作物。
【請求項１１】
請求項２記載のゲーム装置のプレイヤが操作する操作物であって、
前記プレイヤによって把持される棒状の把持部と、
前記把持部の一方端に設けられ、受けた光を再帰反射する反射部と、を備える操作物。
【請求項１２】
プレイヤによって操作される操作物を撮影するステップと、
撮像画像に基づいて、前記操作物の状態情報を算出するステップと、
前記操作物に連動する連動オブジェクトの表示を、前記操作物の前記状態情報に基づいて制御するステップと、
前記連動オブジェクトの移動を制限する制限画像を制御するステップと、をコンピュータに実行させるゲームプログラム。
【請求項１３】
プレイヤによって操作される操作物を撮影するステップと、
撮像画像に基づいて、前記操作物の状態情報を算出するステップと、
前記操作物の位置を画面上に表すカーソルの表示を、前記操作物の前記状態情報に基づいて制御するステップと、
前記カーソルの動きに追従する追従オブジェクトの表示を、前記カーソルの座標情報に基づいて制御するステップと、をコンピュータに実行させるゲームプログラム。
【請求項１４】
プレイヤによって操作される操作物を撮影するステップと、
撮像画像に基づいて、前記操作物の状態情報を算出するステップと、
前記操作物に連動する連動オブジェクトの表示を、前記操作物の前記状態情報に基づいて制御するステップと、
前記連動オブジェクトの移動を制限する制限画像を制御するステップと、を含むゲーム方法。
【請求項１５】
プレイヤによって操作される操作物を撮影するステップと、
撮像画像に基づいて、前記操作物の状態情報を算出するステップと、
前記操作物の位置を画面上に表すカーソルの表示を、前記操作物の前記状態情報に基づいて制御するステップと、
前記カーソルの動きに追従する追従オブジェクトの表示を、前記カーソルの座標情報に基づいて制御するステップと、を含むゲーム方法。
【手続補正書】
【提出日】平成19年11月13日(2007.11.13)
【手続補正１】
【補正対象書類名】特許請求の範囲
【補正対象項目名】全文
【補正方法】変更
【補正の内容】
【特許請求の範囲】
【請求項１】
組織を密封するための開放手術用電気外科鉗子であって、
各々がその遠位端部に配置されたジョー部材を備えた１対の第１及び第２のシャフト部材を有し、前記ジョー部材は、互いに対して間隔を置いた関係にある第１の位置から、前記ジョー部材が協働してこれらの間で組織を掴む少なくとも１つの次の位置に移動することができ、
前記ジョー部材は各々、これらの間に保持されている組織を通って電気外科エネルギを伝える導電性密封プレートを有し、
前記ジョー部材のうちの少なくとも一方は、その長さに沿って形成された切断スロットを有し、前記切断スロットは、これに沿って切断器械を往復動させるように寸法形状決めされ、
前記切断器械を、前記切断器械が前記ジョー部材相互間に保持された組織に対して近位側に位置する第１の位置から、前記切断器械が前記ジョー部材相互間に保持された組織に対して遠位側に位置する少なくとも１つの次の位置に、選択的に前進させるアクチュエータを有し、前記アクチュエータは、前記ジョー部材相互間に保持されている組織を通って前記切断器械を前記第１の位置から前記第２の位置に前進させるようにプーリ及びケーブルシステムと協働するトリガ組立体を有する、
組織を密封するための開放手術用電気外科鉗子。
【請求項２】
前記アクチュエータの前記トリガ組立体は、前記切断スロットを通って前記切断器械を遠位側へ前進させるよう近位側へ引っ張られる、請求項１記載の組織を密封するための開放手術用電気外科鉗子。
【請求項３】
前記アクチュエータの前記トリガ組立体は、前記切断スロットを通って前記切断器械を遠位側へ前進させるよう遠位側へ押される、請求項１記載の組織を密封するための開放手術用電気外科鉗子。
【請求項４】
前記アクチュエータの前記トリガ組立体は、前記切断スロットを通って前記切断器械を遠位側へ前進させるよう側方へ動かされる、請求項１記載の組織を密封するための開放手術用電気外科鉗子。
【請求項５】
前記ジョー部材が第１の位置にあるとき、前記切断器械の往復動を阻止するロックアウトを更に有している、請求項１記載の組織を密封するための開放手術用電気外科鉗子。
【請求項６】
前記ロックアウトは、トリガ組立体の一部をなす、請求項５記載の組織を密封するための開放手術用電気外科鉗子。
【請求項７】
前記ロックアウトは、前記ジョー部材の少なくとも一方の一部をなす、請求項５記載の組織を密封するための開放手術用電気外科鉗子。
【請求項８】
前記ロックアウトは、前記切断器械の一部をなす、請求項７記載の組織を密封するための開放手術用電気外科鉗子。
【請求項９】
前記ロックアウトは、少なくとも一方のジョー部材の一部をなす、請求項５記載の組織を密封するための開放手術用電気外科鉗子。
【請求項１０】
前記ロックアウトは、前記第１及び第２のシャフトのうちの少なくとも一方の一部をなす、請求項５記載の組織を密封するための開放手術用電気外科鉗子。
【請求項１１】
前記シャフトは各々、取っ手を有し、前記取っ手のうち少なくとも１つには前記プーリ及びケーブルシステムのケーブルを往復動させる軌道が貫通して形成され、前記ケーブルは、前記切断器械と機械的に係合して前記ケーブルの運動により第１の位置と次の位置との間における前記切断機構の運動が行われるようになっている、請求項１記載の組織を密封するための開放手術用電気外科鉗子。
【請求項１２】
前記ケーブルは、前記軌道内でのケーブルの座屈を阻止する少なくとも１つの補剛材を有している、請求項１１記載の組織を密封するための開放手術用電気外科鉗子。
【請求項１３】
前記ケーブルは、編組柔軟ケーブルである、請求項１１記載の組織を密封するための開放手術用電気外科鉗子。
【請求項１４】
前記ケーブルは、プラスチック材料で作られている、請求項１１記載の組織を密封するための開放手術用電気外科鉗子。
【請求項１５】
前記切断器械を前記第１の位置に自動的に付勢する少なくとも１つのばねを更に有している、請求項１記載の組織を密封するための開放手術用電気外科鉗子。
【請求項１６】
前記トリガ組立体は、前記切断器械を前記第１の位置に自動的に戻す前記少なくとも１つのばねを有している、請求項１５記載の組織を密封するための開放手術用電気外科鉗子。
【請求項１７】
組織を密封するための開放手術用電気外科鉗子であって、
各々がその遠位端部に位置するジョー部材を備えた１対の第１及び第２のシャフト部材を有し、前記ジョー部材は、互いに対して間隔を置いた関係にある第１の位置からジョー部材が協働してこれらの間に組織を掴む少なくとも１つの次の位置に動くことができ、
前記ジョー部材は各々、これらの間に保持されている組織を通って電気外科エネルギを伝える導電性密封プレートを有し、
前記ジョー部材のうちの少なくとも一方は、その長さに沿って形成された切断スロットを有し、前記切断スロットは、これに沿って切断器械を往復動させるよう寸法決めされており、
切断器械を前記切断器械が前記ジョー部材相互間に保持された組織に対して近位側に位置する第１の位置から前記切断器械が前記ジョー部材相互間に保持された組織に対して遠位側に位置する少なくとも１つの次の位置に選択的に前進させるアクチュエータを有し、前記アクチュエータは、ジョー部材相互間に保持されている組織を通って前記切断器械を第１の位置から第２の位置に前進させるようラックピニオンシステムと協働するトリガ組立体を有している、組織を密封するための開放手術用電気外科鉗子。
【請求項１８】
前記ラックピニオンシステムは、第１及び第２のシャフト部材のうちの一方と係合する、請求項１７記載の組織を密封するための開放手術用電気外科鉗子。
【請求項１９】
前記アクチュエータの前記トリガ組立体は、前記切断スロットを通って前記切断器械を遠位側へ前進させるよう近位側へ引っ張られる、請求項１７記載の組織を密封するための開放手術用電気外科鉗子。
【請求項２０】
前記アクチュエータの前記トリガ組立体は、前記切断スロットを通って前記切断器械を前進させるよう遠位側へ押される、請求項１７記載の組織を密封するための開放手術用電気外科鉗子。